(57)【要約】【課題】洗面化粧台又は台所等のシンクに挿入する作業を円滑に行うことができると共に、製造工程を簡略化することができる、透水性マットを提供する。【解決手段】透水性マット１０は、底部１と、その底部のそれぞれ一辺に連結した４つの側壁部２を含む。【選択図】図１
2011036575.tif 000002
【特許請求の範囲】
【請求項１】
底部と、その底部のそれぞれ一辺に連結した４つの側壁部を含むことを特徴とする、透水性マット。
【請求項２】
底部と、その底部のそれぞれ一辺に連結した４つの側壁部とを含み、各側壁部を底部側において相互に連結する縫合部を設けたことを特徴とする、透水性マット。
【請求項３】
請求項１又は２に記載の透水性マットと、非透水性シートカバーとを含む、組立バス。
【発明の詳細な説明】
【技術分野】
【０００１】
本発明は、透水性マットに関する。本発明による透水性マットは、特には、乳幼児の沐浴用マットとして用いることができる。
【背景技術】
【０００２】
洗面化粧台や洗面カウンターなどのホウロウ製シンク、あるいは台所の食器洗い用シンクなどにおいて、乳幼児を沐浴させる際に用いられる乳幼児用マットが知られている（特許文献１）。特許文献１に記載の乳幼児用マットは、マット本体部とマット本体部の周縁部に設けられた複数のマット縁部とからなり、透水性及びクッション性を有し、乳児を沐浴させる作業者の負担を軽減することができる。この乳幼児用マットにおいて、マット本体部とマット縁部とは、透水性を有する袋体の中に小粒状物を入れて形成されるか、または軟質樹脂若しくは発泡樹脂で透水可能にした板状物により形成されている。このため、この乳幼児用マットは、透水性及びクッション性を有し、軽量でコンパクトに折り畳むことができる。
【０００３】
この乳幼児用マットには、４つのコーナー部において、隣接するマット縁部を相互に連結するためのコーナー連結布部が設けられている。このようなコーナー連結布部を設けないと、前記乳幼児用マットを手で持ち上げてシンク内へ挿入する際に、手で保持していないマット縁部が下方に垂れ下がり、垂れ下がったマット縁部がマット本体部とシンクの間に挟まったりするので、シンクへの挿入作業の円滑性が損なわれる。こうした不都合を防ぐために、前記乳幼児用マットには、コーナー連結布部が設けられているものと思われる。しかしながら、このような４つのコーナー連結布部を設けることにより、製造工程が煩雑になり、製造コストが上昇するだけでなく、全体の変形性に対する自由度が制限され、シンクへの挿入作業が必ずしも十分に円滑になるわけでもない。
【先行技術文献】
【特許文献】
【０００４】
【特許文献１】特開２００３−６１８５３号公報
【発明の概要】
【発明が解決しようとする課題】
【０００５】
特許文献１に記載の乳幼児用マットは、透水性及びクッション性を有しており、また軽量でコンパクトに折り畳むことが可能なマットであったが、変形の自由度が低く、シンクにマットを挿入する操作が十分円滑であるとはいえず、また乳幼児用マットの製造工程が煩雑である問題点を有していた。
従って、本発明の課題は、前記乳幼児用マットが有している透水性及びクッション性を維持したまま、洗面化粧台又は台所等のシンクに挿入する作業を一層円滑に行うことができると共に、製造工程を簡略化することができる、透水性マットを提供することにある。
【課題を解決するための手段】
【０００６】
前記の課題は、本発明により、底部と、その底部のそれぞれ一辺に連結した４つの側壁部とを含み、各側壁部を相互に分離したことを特徴とする、透水性マット（完全分離型と称することがある）によって解決することができる。
また、前記の課題は、本発明により、底部と、その底部のそれぞれ一辺に連結した４つの側壁部とを含み、各側壁部を底部側において相互に連結する縫合部を設けたことを特徴とする、透水性マット（縫合型と称することがある）によって解決することができる。
【発明の効果】
【０００７】
本発明の完全分離型透水性マットは、４つの側壁部が底部との連結部から下方に垂れ下がることがないので、４つのコーナー部にコーナー連結布部を設ける必要がなく、製造工程を簡略化することができる。また、４つの側壁部が底部との連結部から下方に垂れ下がることがないので、シンクに挿入する際に、シンクの内側形状に沿って上方に傾斜し、全体として立体的な容器を容易に形成することになり、洗面化粧台や台所等のシンクに入れる作業を円滑に行うことができる。
本発明の縫合型透水性マットは、４つの側壁部が底部からそれぞれ上方に起き上がり、全体として容器様形状となるので、シンクに挿入する操作を極めて容易に実施することができる。また、変形の自由度も実質的に損なわれることがない。更に、製造工程を簡略化することができる。
【図面の簡単な説明】
【０００８】
【図１】本発明による透水性マットの模式的平面図である。
【図２】カバーに包む前の板状芯部の模式的断面図である。
【図３】カバーに板状芯部を包むことによって、板状芯部を湾曲させた状態の模式的断面図である。
【図４】本発明による完全分離型透水性マットの正面図である。
【図５】本発明による完全分離型透水性マットの背面図である。
【図６】本発明による完全分離型透水性マットの左側面図である。
【図７】本発明による完全分離型透水性マットの右側面図である。
【図８】本発明による完全分離型透水性マットの平面図である。
【図９】本発明による完全分離型透水性マットの底面図である。
【図１０】本発明による透水性マットを使用して、シンク内において乳幼児を沐浴させている状態の斜視図である。
【図１１】本発明による透水性マットを収納ネットに折り畳んで格納した状態の参考斜視図である。
【図１２】本発明による縫合型透水性マットの正面図である。
【図１３】本発明による縫合型透水性マットの背面図である。
【図１４】本発明による縫合型透水性マットの左側面図である。
【図１５】本発明による縫合型透水性マットの右側面図である。
【図１６】本発明による縫合型透水性マットの平面図である。
【図１７】本発明による縫合型透水性マットの底面図である。
【発明を実施するための形態】
【０００９】
本発明による完全分離型透水性マットの代表的な実施態様について、以下、添付図面に沿って説明する。
図１に示すように、本発明による完全分離型透水性マット１０は、１つの底部１と４つの側壁部２とを含む。４つの側壁部２は、それぞれ、側壁部上縁部２ａと両側壁部側縁部２ｂ，２ｃとを自由端（非連結端）とし、連結部３によって、底部１と連結している。すなわち、側壁部２１は、連結部３１によって、底部の一辺と連結している。同様に、側壁部２２は連結部３２によって、側壁部２３は連結部３３によって、側壁部２４は連結部３４によって、底部１の一辺と連結している。４つの側壁部２（２１，２２，２３，２４）は、相互に連結しておらず、分離・独立している。すなわち、透水性マット１０は、４つの側壁部２（２１，２２，２３，２４）を相互に連結するためのコーナー連結布部を有していない。また、後述する縫合型透水性マットが備える縫合部も備えていない。側壁部２１の側壁部側縁部２１ｂと側壁部２２の側壁部側縁部２２ｃとは、相互に離間し、連結していないため、挿入されるシンクの形状や寸法に適合して、相互に重ね合わせたり、相互に離間距離を自由に調整することができる。同様に、側壁部側縁部２１ｂと側壁部側縁部２２ｃとの間、側壁部２２の側壁部側縁部２２ｂと側壁部２３の側壁部側縁部２３ｃとの間、さらに側壁部２３の側壁部側縁部２３ｂと側壁部２４の側壁部側縁部２４ｃとの間でも、自由な調整が可能である。
【００１０】
底部１は、平面視で大略長方形であり、４つのコーナー部が丸みを帯びて、平面視で楕円形に近い形状であることもできる。一般的には、この底部１をシンク底面に接触させて使用するので、種々のシンクの適合可能な寸法を有していることが好ましい。底部１は、厚さが均一な平板状であるか、あるいは、中央部を窪ませたりすることができる。底部１は、透水性及びクッション性を有する軟質樹脂、発泡樹脂又は繊維の材料から板状に形成することができる。軟質樹脂、発泡樹脂又は繊維の材料から板状体は、１又は複数の通水孔を備えているために通水性を有する。それらの軟質樹脂、発泡樹脂又は繊維の材料の通水性板状体を、更に透水性カバーで覆うこともできる。また、底部１は、特許文献１と同様に、透水性を有する袋体の中に小粒状物を入れて形成することもできる。
【００１１】
図３に示すように、側壁部２は、湾曲平板状芯部４とカバー５とからなり、湾曲平板状芯部４がカバー５によって、湾曲した状態で覆われている。図２に示すように、平板状芯部４は、外力が加わっていない状態では、湾曲せずに平板状である。側壁部２は、例えば、前後両端が開口した同径円筒状吹流し様のカバー５の内部に、平板状芯部４を湾曲させて挿入し、必要により、平板状芯部４の挿入後に、前後両端を縫製することによって製造することができる。具体的には、図３に示すように、カバー５の内側の全周の長さ（Ｌ＋Ｓ＋２ｄ）を、平板状芯部４の外周（２Ｌ＋２ｄ）よりも短くすると、平板状芯部４は、カバー５内で湾曲する。前後両端が開口した同径円筒状吹流し様のカバー５の代わりに、前端又は後端の一方が閉鎖された袋状体を用いることもできる。
【００１２】
芯部４は、カバー５の張力に対抗可能な可撓性を示す厚さを有する。湾曲した凹面側が底部１に対して外側になり、凸面側が内側になるように、側壁部２の下辺部６を底部１の一片に連結すると、側壁部２が底部１に対し、下方の垂れ下がることがない。従って、シンクに挿入する際に、シンクの内側形状に沿って徐々に上方に傾斜し、全体として立体的な容器を容易に形成することができる。また、側壁部２は、連結部３を折り目、すなわち屈曲部として、簡単に折り畳むことができる。
【００１３】
芯部４は、軟質樹脂、発泡樹脂又は繊維の材料からなり、湾曲可能な平板体である。また、芯部４は、１又は複数の通水孔を有しているので、透水性を有する。カバー５は、例えば、メッシュ等の透水性を有する材料から作られている。芯部４が軟質樹脂等により作られているので、透水性マット１０の底部１と側壁部２とがスポンジのようなクッション性を有する。これにより、透水性マット１０の上で乳幼児を沐浴させる際に、乳幼児をシンク面に直接に接触させずに快適な沐浴を可能にし、更に打撲等の怪我から防止することができる。
【００１４】
芯部４に通水孔を設けており、カバー５が透水性を有していると共に底部１も透水性を有しているので、透水性マット全体を水が自由に通過する。従って、乳幼児の沐浴の際に、シンク内で水の抵抗を受けずに透水性マットを上下に移動させることができる。また、沐浴が終了した後は、単に、透水性マットを上方に引き上げるだけで排水を容易に行うことができる。また、沐浴が終了した後で、透水性マットの乾燥を素早く行うことができる。
【００１５】
本発明による透水性マット１０は、底部１と４つの側壁部２１，２２，２３，２４の下辺部とを、例えば、縫い合わせることにより連結させることによって簡単に製造することができる。側壁部の上縁部２ａ及び／又は両側壁部側縁部２ｂ，２ｃを直線状ではなく、曲線状にすることもできる。この場合は、芯部４の上縁部及び／又は両側壁部側縁部を曲線状とし、カバー５の相当する箇所を曲線状として形成することができる。
【００１６】
完全分離型透水性マット１０は、底部１をシンクの底部に置き、側壁部２をシンクの側壁部にそって設置することができる。この透水性マット１０をシンクに設置する場合、側壁部２が下方に垂れ下がることがないので、透水性マット１０をシンクの内側の形状に合わせて簡単に挿入することができる。
【００１７】
４つの側壁部２が、連結部を介して互いに連結していないので、４つの側壁部２のそれぞれを自由に動かすことができる。この側壁部２の自由度により、様々なシンクの形状に合わせて、この透水性マット１０を設置することができる。
【００１８】
本発明による縫合型透水性マット１０Ａの一態様を図１２〜図１７に示す。縫合型透水性マット１０Ａは、底部１と、その底部１のそれぞれ一辺に連結した４つの側壁部２とを含む点では、前記完全分離型透水性マットと同じであるが、各側壁部２を底部１側において相互に連結する縫合部７を設けた点で異なる。縫合部７は、側壁部２の自由度を損なわないように、側壁部側縁部の下方部に設ける。縫合部７を設けることにより、４つの側壁部２が底部１からそれぞれ上方に起き上がり、全体として容器様形状とすることができる。
【００１９】
透水性マット１０，１０Ａを設置した後、図１０に示すように、透水性マット１０，１０Ａの上に乳幼児を寝かせた状態で、乳幼児を沐浴させることができる。シンク内でマットを上下に移動させても透水性を有するので、透水性マット１０，１０Ａは水により抵抗を受けない。
【００２０】
本発明による透水性マット１０，１０Ａは、対向する一対の側壁部又は二対の側壁部に、それぞれ１対又は２対の把持部を設けることができる。この把持部は、シンクから乳幼児を入れたままの状態で透水性マットを取り出す際の補助具として使用することができる。なお、底部の外側を通過する補強ベルトに把持部を連結させて、把持部を補強することもできる。
【００２１】
本発明による透水性マット１０，１０Ａは、例えば、シンク台それ自体またはシンク台の付属部分等の係止部に固定するための固定用ベルトを設けることができる。係止部に固定して、透水性マット１０，１０Ａをシンク内部でシンク底部から浮き上がらせた状態で使用することができる。
【００２２】
図１１に示すように、本発明による透水性マット１０，１０Ａは、収納カバーにコンパクトに折り畳むことができる。また、本発明による透水性マットは、例えば、非透水性シートカバーで、全体（内側及び外側）もしくは外側を覆うことにより、簡易で携帯可能なバスとすることができる。すなわち、非透水性シートカバーと透水性マットとを連結固定する手段を、非透水性シートカバー及び／又は透水性マットに設けて、バスとし、両者を分離して、それぞれを別々に折りたたんで収納・携帯することができるので、収納スペースを大幅に省略することができ、携帯も容易になる。
【産業上の利用可能性】
【００２３】
本発明の透水性マットは、洗面化粧台又は台所等のシンクに挿入する作業を円滑に行うことができ、しかも、透水性マットの製造工程を簡略化することができる。この透水性マットは、乳幼児の沐浴用マットとして用いることができるだけでなく、成人用や老人介護用の沐浴用マットにも用いることができる。更に、非透水性シートカバーと組合せて簡易バスの構成部品として利用することもできる。
【符号の説明】
【００２４】
１・・・底部；
２・・・側壁部；
２ａ・・・側壁部上縁部；
２ｂ・・・側壁部側縁部；
２ｃ・・・側壁部側縁部；
３・・・連結部；
４・・・芯部；
５・・・カバー；
６・・・側壁部下辺部；
１０・・・透水性マット；
２１，２２，２３，２４・・・側壁部；
２１ａ，２２ａ，２３ａ，２４ａ・・・側壁部上縁部；
２１ｂ，２２ｂ，２３ｂ，２４ｂ・・・側壁部側縁部；
２１ｃ，２２ｃ，２３ｃ，２４ｃ・・・側壁部側縁部；
３１，３２，３３，３４・・・連結部。
【図１】
2011036575.tif 000003
【図２】
2011036575.tif 000004
【図３】
2011036575.tif 000005
【図４】
2011036575.tif 000006
【図５】
2011036575.tif 000007
【図６】
2011036575.tif 000008
【図７】
2011036575.tif 000009
【図８】
2011036575.tif 000010
【図９】
2011036575.tif 000011
【図１０】
2011036575.tif 000012
【図１１】
2011036575.tif 000013
【図１２】
2011036575.tif 000014
【図１３】
2011036575.tif 000015
【図１４】
2011036575.tif 000016
【図１５】
2011036575.tif 000017
【図１６】
2011036575.tif 000018
【図１７】
2011036575.tif 000019